(57)【特許請求の範囲】
【請求項１】
互いに階段状にずれる進出位置と互いに上下方向に整列する後退位置との間で水平状態のまま移動される複数段の床台と、それらの床台に装着された複数の椅子とを具える、伸縮式の階段状観覧席において、
前記各床台の前部に、前後方向への回動により、前記椅子の座部を前記床台から離間する使用位置と前記床台に近接する下降位置との間で前後移動させつつ昇降平行移動させる前側リンク部材および後ろ側リンク部材を具える平行リンク機構が設けられるとともに、
前記座部の前記使用位置への固定と前記使用位置からの解放とを選択的に行う固定手段が設けられ、
前記前側のリンク部材および後ろ側のリンク部材の前後方向への回動に伴い前記椅子の背部を前記床台から離間して立つ使用位置と前記座部の下降位置の後方にて前記床台に近接して仰向けになる倒れ位置との間で回動させるように、前記後ろ側のリンク部材に前記背部が固定されていることを特徴とする、伸縮式階段状観覧席。
【請求項２】
前記座部を前記使用位置と前記下降位置との間で少なくとも一方向に移動させる駆動手段が設けられていることを特徴とする、請求項１記載の伸縮式階段状観覧席。
【請求項３】
前記複数のリンク部材は、前記座部の左右側方に配置されていることを特徴とする、請求項１または請求項２記載の伸縮式階段状観覧席。
【請求項４】
前記複数のリンク部材は、前記座部の下方に配置されていることを特徴とする、請求項１または請求項２記載の伸縮式階段状観覧席。
【請求項５】
前記平行リンク機構と連結されて肘掛けを前記床台から離間する使用位置と前記床台に近接する下降位置との間で前後移動させつつ平行移動させる他の平行リンク機構が設けられていることを特徴とする、請求項１から請求項４までの何れか記載の伸縮式階段状観覧席。
【請求項６】
前記座部は複数個ずつ一体的に結合されており、
前記平行リンク機構は、前記一体的に結合された複数個ずつの座部を纏めて前記使用位置と前記下降位置との間で移動させるものであることを特徴とする、請求項１から請求項４までの何れか記載の伸縮式階段状観覧席。
【請求項７】
前記背部は複数個ずつ一体的に結合されており、
前記背部が固定された前記後ろ側のリンク部材は、前記一体的に結合された複数個ずつの背部を纏めて前記使用位置と前記倒れ位置との間で回動させるものであることを特徴とする、請求項１から請求項４までの何れか記載の伸縮式階段状観覧席。
【発明の詳細な説明】
【０００１】
【発明の属する技術分野】
この発明は、互いに階段状にずれる進出位置と互いに上下方向に整列する後退位置との間で水平状態のまま移動される複数段の床台と、それらの床台に装着された複数個の椅子とを具えて、その観覧席の不使用時にコンパクトに纏め得るようにした、伸縮式の階段状観覧席に関するものである。
【０００２】
【従来の技術】
上述の如き伸縮式の階段状観覧席としては従来、例えば、実開昭61−113867号公報にて開示されたものが知られており、この従来の階段状観覧席においては、各床台の前端部上に各椅子の座部が固定されるとともに、その座部の後端部に各椅子の背部の下端部が回動可能に連結されて、その背部を座部の上に倒して重ねられるようになっている。
【０００３】
【発明が解決しようとする課題】
しかしながら、上記従来の階段状観覧席では、その観覧席の不使用時に、後退位置で上下方向に整列する床台同士の隙間に、各椅子の座部とその上に倒して重ねられた背部とを収容しており、かつ、座部の高さが収容時でも変わらないことから、収容時の椅子の厚さが厚くなってしまうため、通常は設置場所に応じた観覧席仕様によって定められる床台間の段差が少ない場合や、座部と背部との快適性を高めるためにそれらの厚さを厚くした場合には、椅子を上下方向に整列させて床台の隙間に収容することができなくなるという問題があった。
【０００４】
【課題を解決するための手段およびその作用・効果】
この発明は上記課題を有利に解決した伸縮式階段状観覧席を提供することを目的とするものであり、この発明の伸縮式階段状観覧席は、互いに階段状にずれる進出位置と互いに上下方向に整列する後退位置との間で水平状態のまま移動される複数段の床台と、それらの床台に装着された複数個の椅子とを具えるものであって、前記各床台の前部に、前後方向への回動により、前記椅子の座部を前記床台から離間する使用位置と前記床台に近接する下降位置との間で前後移動させつつ昇降平行移動させる前側リンク部材および後ろ側リンク部材を具える平行リンク機構が設けられるとともに、前記座部の前記使用位置への固定と前記使用位置からの解放とを選択的に行う固定手段が設けられ、前記前側のリンク部材および後ろ側のリンク部材の前後方向への回動に伴い前記椅子の背部を前記床台から離間して立つ使用位置と前記座部の下降位置の後方にて前記床台に近接して仰向けになる倒れ位置との間で回動させるように、前記後ろ側のリンク部材に前記背部が固定されていることを特徴とするものである。
【０００５】
かかる伸縮式階段状観覧席にあっては、その観覧席の使用時には、複数段の床台を、それらが互いに階段状にずれる進出位置に移動させた後、あるいは移動させながら、各床台の前部の平行リンク機構の前側リンク部材および後ろ側リンク部材の前方回動により、椅子の座部を前進移動させつつ上昇平行移動させて、その座部を床台から離間する使用位置に配置するとともに、前記後ろ側リンク部材に固定された椅子の背部を前方回動させて、その背部を床台から離間して立つ使用位置に配置し、その状態で固定手段により座部を使用位置に固定することで、階段状観覧席が伸長展開される。
【０００６】
またその観覧席の不使用時には、固定手段により使用位置から座部を解放し、各床台の前部の平行リンク機構の前側リンク部材および後ろ側リンク部材の後方回動により、椅子の座部を後退移動させつつ下降平行移動させて、その座部を床台に近接する下降位置に配置するとともに、前記後ろ側リンク部材に固定された椅子の背部を後方回動させて、その背部を床台に近接して仰向けになる倒れ位置に配置した後、あるいはそれらの配置を行いながら、複数段の床台を、それらが互いに上下方向に整列する後退位置に移動させ、それにより前記複数個の椅子を前記複数段の床台の間に収容して上下方向に整列させることで、複数段の床台とそこに装着された複数個の椅子とがコンパクトに纏まった状態で縮小収容される。
【０００７】
そして、この伸縮式階段状観覧席によれば、観覧席の不使用時には、複数個の椅子を複数段の床台の間に、各椅子の座部と背部とが重ならずに前後に位置するように配置するので、設置場所に応じた観覧席仕様によって定められる床台間の段差が少ない場合でも、椅子を上下方向に整列させて床台の間の隙間に収納することができるとともに、座部と背部の厚さを床台間の隙間の範囲内でそれぞれ厚く設定し得て、椅子の快適性を向上させることができる。
【０００８】
なお、この発明の伸縮式階段状観覧席においては、前記座部を前記使用位置と前記下降位置との間で少なくとも一方向に移動させる駆動手段が設けられていても良く、その場合には、複数段の床台を互いに階段状にずれる進出位置と互いに上下方向に整列する後退位置との間で水平状態のまま移動させる間に、前記駆動手段によって前記椅子の座部を前記使用位置と前記下降位置との間で自動的に移動させることができるとともに、その移動に連動させて前記椅子の背部も前記使用位置と前記倒れ位置との間で移動させることができるので、階段状観覧席の伸長展開と縮小収容との少なくとも一方を短時間で容易に行うことができる。
【０００９】
また、この発明の伸縮式階段状観覧席においては、前記複数のリンク部材が、前記座部の左右側方に配置されていても良く、その場合には、平行リンク機構と座部とが上下に重ならないので、限られた椅子収納スペース中で座部の厚さをさらに厚くすることができる。
【００１０】
その一方、この発明の伸縮式階段状観覧席においては、前記複数のリンク部材が、前記座部の下方に配置されていても良く、その場合には、平行リンク機構が座部の側方に位置しないので、限られた椅子収納スペース中で座部の幅をさらに広くすることができる。
【００１１】
また、この発明の伸縮式階段状観覧席においては、前記平行リンク機構と連結されて肘掛けを前記床台から離間する使用位置と前記床台に近接する下降位置との間で前後移動させつつ平行移動させる他の平行リンク機構が設けられていても良く、その場合には、前記他の平行リンク機構により、座部および背部と連動させて肘掛けを、観覧席の使用時には床台から離間する使用位置に配置し、観覧席の不使用時には床台に近接する下降位置に配置することができるので、椅子の快適性をさらに向上させることができる。
【００１２】
さらに、この発明の伸縮式階段状観覧席においては、前記座部が複数個ずつ一体的に結合されていて、前記平行リンク機構が、前記一体的に結合された複数個ずつの座部を纏めて前記使用位置と前記下降位置との間で移動させるものであっても良く、その場合には、平行リンク機構の数を座部の数よりも少なくして構造を簡素化し得て、観覧席の製造コストを引き下げることができる。
【００１３】
そして上記の場合に、この発明の伸縮式階段状観覧席においては、前記背部は複数個ずつ一体的に結合されており、
前記背部が固定された前記後ろ側のリンク部材は、前記一体的に結合された複数個ずつの背部を纏めて前記使用位置と前記倒れ位置との間で回動あっても良く、その場合には、背部が固定されるリンク部材を少なくして構造を簡素化し得て、観覧席の製造コストをさらに引き下げることができる。
【００１４】
【発明の実施の形態】
以下に、この発明の実施の形態を実施例によって、図面に基づき詳細に説明する。ここに、図１（ａ）は、この発明の伸縮式階段状観覧席の第１実施例を伸長展開した状態で示す断面図、図１（ｂ）は、その第１実施例の伸縮式階段状観覧席を縮小収容した状態で示す断面図、図１（ｃ）は、その第１実施例の伸縮式階段状観覧席の各椅子の作動状態を示す断面図、図２は、その第１実施例の伸縮式階段状観覧席の床台および椅子を床台一段分のみ示す正面図、そして図３は、その第１の実施例の伸縮式階段状観覧席の、各床台が進出位置に位置する一方で各椅子の座部が下降位置に位置するとともに背部が倒れ位置に位置する中間的状態を示す断面図であり、図中符号１は、当該観覧席が設置されたホール等の施設の床面を示す。
【００１５】
この実施例の伸縮式階段状観覧席は、図１（ａ），（ｃ）および図３に示すように互いに階段状にずれる進出位置と、図１（ｂ）に示すように互いに上下方向に整列する後退位置との間で水平状態のまま床面１上を移動される複数段、図では四段の、各々図の紙面と直交する方向に延在する床台２を具えており、これらの床台２の上記進出位置と後退位置との間での水平移動は、この実施例では、下端部に車輪を持つ図示しない支持脚を各段の床台２の後端部に各段毎に長さと配置とを異ならせて設けるとともに、図示しない電気モーター式床台駆動ユニットでそれらの支持脚を駆動するという既知の構成によって達成している。なお、図１および図３では左方がこの観覧席の前方となる。
【００１６】
またこの実施例の伸縮式階段状観覧席は、図１〜図３に示すように、上記複数段の床台２の各々に装着された複数個の椅子３を具えており、この実施例では、各椅子３は、互いに別体とされた座部3aと背部3bとを有している。そしてこの実施例では、図２に示すように複数個、図では５個の椅子３を床台２の前部2a上に左右方向に並べて配置し、それらの椅子３を、実質的に平行リンクを構成するリンク機構（説明の便宜上ここでは「平行リンク機構」と呼ぶ）４を介して各々独立に床台２に装着してある。
【００１７】
ここにおける平行リンク機構４は、図１および図２に示すように、各段の床台２の前部2a上に当該観覧席の前後方向に延在させて固設したブラケット５の前後二箇所にそれぞれ、床台２の左右方向（図１では紙面と直交する方向）に延在する支持軸６を設けて、それらの支持軸６により、各々座部3aの１／３程度の幅を持つ前側リンク部材７と後ろ側リンク部材８との二つのリンク部材の下端部をそれぞれブラケット５に回動可能に連結するとともに、椅子３の座部3aの下側中央に、各リンク部材７，８を収容し得る幅の凹部3cを形成し、その凹部3c内の前後二箇所に、上記前後二箇所の支持軸６と概略同一の間隔をあけてそれぞれ、支持軸６に平行に支持軸９を設けて、それらの支持軸９により、前側リンク部材７の上端部と、後ろ側リンク部材８の、概略前側リンク部材７の長さに等しく下端部から離間した中間部とをそれぞれ座部3aに回動可能に連結することで構成してあり、この実施例ではその後ろ側リンク部材８の上部に、椅子３の背部3bを固定してある。
【００１８】
かかる平行リンク機構４の前側リンク部材７および後ろ側リンク部材８の各支持軸６周りの回動により、この実施例では上記各椅子３の座部3aを、図１（ａ）および図２に示すともに図１（ｃ）に実線で示す、床台２から離間する使用位置と、図１（ｂ）および図３に示すとともに図１（ｃ）に一点鎖線で示す、下端面が床台２に当接する下降位置との間で、前後移動させつつ実質的に平行移動させることができ、その座部3aの移動の際上記各椅子３の背部3bも同時に、後ろ側リンク部材８の支持軸６周りの回動により、図１（ａ）および図２に示すともに図１（ｃ）に実線で示す、床台２から離間して立つ使用位置と、図１（ｂ）および図３に示すとともに図１（ｃ）に一点鎖線で示す、座部3aの下降位置の後方にて背面が床台２に当接して仰向けになる倒れ位置との間で回動される。
【００１９】
さらにこの実施例では、座部3aの上記使用位置への固定とその使用位置からの解放とを選択的に行う固定手段としての図示しない掛止機構を、各平行リンク機構４に併設してあり、その掛止機構は、例えば、座部3aが上記使用位置に位置するまで前側リンク部材７が回動した時にその前側リンク部材７に掛合する掛合位置と、前側リンク部材７から離間する離間位置との間で移動可能にフックやロックピン等の掛止部材を床台２上に支持するとともに、その掛止部材を上記掛合位置へ向けて常時付勢するスプリングとを具えることで構成することができる。なお、前側リンク部材７でなく後ろ側リンク部材８を掛止するようにしても良く、あるいは、前側リンク部材７や後ろ側リンク部材８を掛止するのでなく直接、座部3aを上記使用位置に掛止するように構成しても良い。
【００２０】
上述した構成を具えるこの第１実施例の伸縮式階段状観覧席にあっては、その観覧席の使用時には、図１（ａ）に示すように、複数段の床台２をそれらが互いに階段状にずれる上記進出位置に移動させた後、各椅子３の背部3bを人手で持ち上げることで、各床台２の前部2a上の平行リンク機構４の二つのリンク部材７，８の回動に基づいて各椅子３の座部3aを前進移動させつつ平行移動させて、その座部3aを床台２から離間する上記使用位置に配置するとともに、後ろ側リンク部材８に結合された背部3bを後ろ側の支持軸６周りに回動させて、その背部3bを床台２から離間して立つ上記使用位置に配置し、その状態で上記掛止機構により座部3aを上記使用位置に固定することにて、階段状観覧席が伸長展開される。
【００２１】
またその観覧席の不使用時には、人手で上記掛止機構を操作して上記使用位置への掛止状態から座部3aを解放した後、各椅子３の背部3bを人手で後方に倒すことで、図１（ｃ）および図３に示すように、各床台２の前部2a上の平行リンク機構４の二つのリンク部材７，８の、上記使用時と逆の方向への回動により、椅子３の座部3aを後退移動させつつ平行移動させて、その座部3aを床台２に下面が当接する上記下降位置に配置するとともに、後ろ側リンク部材８に結合された背部3bを後ろ側の支持軸６周りに回動させて、その背部3bを床台２に背面が当接して仰向けになる上記倒れ位置に配置し、その後、図１（ｂ）に示すように、複数段の床台２をそれらが互いに上下方向に整列する後退位置に移動させ、それにより上記複数個の椅子３を上記複数段の床台２の間に収容して上下方向に整列させることで、複数段の床台２とそこに装着された複数個の椅子３とがコンパクトに纏まった状態で縮小収容される。
【００２２】
そしてこの実施例の伸縮式階段状観覧席によれば、観覧席の不使用時には、複数個の椅子３を複数段の床台２の間に、各椅子３の座部3aと背部3bとが重ならずに前後に位置するように配置するので、設置場所に応じた観覧席仕様によって定められる床台２間の段差が少ない場合でも、椅子３を上下方向に整列させて床台２の間の隙間に収納することができるとともに、座部3aと背部3bの厚さを床台２の間の隙間の範囲内でそれぞれ厚く設定し得て、椅子の快適性を向上させることができる。
【００２３】
さらにこの実施例の伸縮式階段状観覧席によれば、前側および後ろ側のリンク部材７，８が座部3aの下方に配置されていることから、平行リンク機構４が座部3aの側方に位置しないので、限られた椅子収納スペース中で座部3aの幅を充分広くして快適性を高めることができる。
【００２４】
図４（ａ）は、この発明の伸縮式階段状観覧席の第２実施例を伸長展開した状態で床台二段分のみ示す断面図、図４（ｂ）は、その第２実施例の伸縮式階段状観覧席を縮小収容した状態で示す断面図、図４（ｃ）は、その第２実施例の伸縮式階段状観覧席の各椅子の作動状態を示す断面図、そして図５は、その第２実施例の伸縮式階段状観覧席の床台および椅子を床台一段分のみ示す正面図であり、図中第１実施例と同様の部分はそれと同一の符号にて示す。
【００２５】
この第２実施例の観覧席においては、図４および図５に示すように、各椅子３の座部3aを支持して実質的に平行移動させる平行リンク機構４を、二本ずつの前側リンク部材10および後ろ側リンク部材11を有するものとして、それらのリンク部材10, 11の下端部を、それぞれ支持軸６によりブラケット５に回動可能に連結するとともに、前側リンク部材10の上端部と、後ろ側リンク部材11の、概略前側リンク部材10の長さに等しく下端部から離間した中間部とをそれぞれ座部3aの左右方向側部に、支持軸９により回動可能に連結してある。
【００２６】
かかる平行リンク機構４の前側リンク部材10および後ろ側リンク部材11の各支持軸６周りの回動により、この実施例では上記各椅子３の座部3aを、図４（ａ）および図５に示すともに図４（ｃ）に実線で示す、床台２から離間する使用位置と、図４（ｂ）に示すとともに図４（ｃ）に一点鎖線で示す、下端面が床台２に当接する下降位置との間で、前後移動させつつ実質的に平行移動させることができ、その座部3aの移動の際上記各椅子３の背部3bも同時に、後ろ側リンク部材11の支持軸６周りの回動により、図４（ａ）および図５に示すともに図４（ｃ）に実線で示す、床台２から離間して立つ使用位置と、図４（ｂ）に示すとともに図４（ｃ）に一点鎖線で示す、座部3aの下降位置の後方にて背面が床台２に当接して仰向けになる倒れ位置との間で回動される。
【００２７】
なお、上記以外の部分は第１実施例と同様に構成してあり、この実施例でも、後ろ側リンク部材11の上部に椅子３の背部3bを固定し、また座部3aの使用位置への固定とその使用位置からの解放とを選択的に行う固定手段としての、第１実施例のものと同様の図示しない掛止機構を各平行リンク機構４に併設してある。
【００２８】
上述した構成を具えるこの第２実施例の伸縮式階段状観覧席にあっては、その観覧席の使用時には、図４（ａ）に示すように、複数段の床台２をそれらが互いに階段状にずれる上記進出位置に移動させた後、各椅子３の背部3bを人手で持ち上げることで、各床台２の前部2a上の平行リンク機構４の二つのリンク部材10，11の回動に基づいて各椅子３の座部3aを前進移動させつつ平行移動させて、その座部3aを床台２から離間する上記使用位置に配置するとともに、後ろ側リンク部材11に結合された背部3bを後ろ側の支持軸６周りに回動させて、その背部3bを床台２から離間して立つ上記使用位置に配置し、その状態で上記掛止機構により座部3aを上記使用位置に固定することにて、階段状観覧席が伸長展開される。
【００２９】
またその観覧席の不使用時には、人手で上記掛止機構を操作して上記使用位置への掛止状態から座部3aを解放した後、各椅子３の背部3bを人手で後方に倒すことで、図４（ｃ）に示すように、各床台２の前部2a上の平行リンク機構４の二つのリンク部材10，11の、上記使用時と逆の方向への回動により、椅子３の座部3aを後退移動させつつ平行移動させて、その座部3aを床台２に下面が当接する上記下降位置に配置するとともに、後ろ側リンク部材11に結合された背部3bを後ろ側の支持軸６周りに回動させて、その背部3bを床台２に背面が当接して仰向けになる上記倒れ位置に配置し、その後、図４（ｂ）に示すように、複数段の床台２をそれらが互いに上下方向に整列する後退位置に移動させ、それにより上記複数個の椅子３を上記複数段の床台２の間に収容して上下方向に整列させることで、複数段の床台２とそこに装着された複数個の椅子３とがコンパクトに纏まった状態で縮小収容される。
【００３０】
そしてこの実施例の伸縮式階段状観覧席によれば、第１実施例と同様、観覧席の不使用時には、複数個の椅子３を複数段の床台２の間に、各椅子３の座部3aと背部3bとが重ならずに前後に位置するように配置するので、設置場所に応じた観覧席仕様によって定められる床台２間の段差が少ない場合でも、椅子３を上下方向に整列させて床台２の間の隙間に収納することができるとともに、座部3aと背部3bの厚さを床台２の間の隙間の範囲内でそれぞれ厚く設定し得て、椅子の快適性を向上させることができる。
【００３１】
さらにこの実施例の伸縮式階段状観覧席によれば、前側および後ろ側のリンク部材10，11が座部3aの側方に配置されていることから、平行リンク機構４が座部3aの下方に位置しないので、限られた椅子収納スペース中で座部3aの厚さを充分厚くし得て、座部3aを布や皮張りにするとともにその内部に厚いクッション材を収容する構成等を採り得ることから、その快適性を高めることができる。
【００３２】
図６は、先の第１実施例の変形例を伸長展開した状態で床台二段分のみ示す断面図、図７は、その第１実施例の変形例の床台および椅子を床台一段分のみ示す正面図であり、図中第１実施例と同様の部分はそれと同一の符号にて示す。
【００３３】
この変形例では、各椅子３に肘掛け12を配置し、その肘掛け12の前端部を支柱14の上端部に連結軸13により回動可能に連結するとともに、その肘掛け12の後端部を、平行リンク機構４の後ろ側リンク部材８に一体的に結合された背部3bに連結軸15により回動可能に連結し、さらに上記支柱14の下端部を座部3aに、軸線方向に延長した前記支持軸９により回動可能に連結してあり、その支柱14と背部3bとによってここでは、平行リンク機構４に背部3bを介して連結した他の平行リンク機構16を構成し、その平行リンク機構16により肘掛け12を、図７に示すとともに図６に実線で示す、床台２から離間する使用位置と、図６に一点鎖線で示す、床台２に近接する下降位置との間で前後移動させつつ実質的に平行移動させるようにしている。
【００３４】
かかるこの変形例の伸縮式階段状観覧席によれば、肘掛け12を移動させる平行リンク機構16が平行リンク機構４に連動するので先の第１実施例の作用効果と同様の作用効果が得られ、それに加えて、肘掛け12によって椅子３の快適性をさらに向上させることができる。
【００３５】
図８は、先の第２実施例の変形例を伸長展開した状態で床台二段分のみ示す断面図、図９は、その第２実施例の変形例の床台および椅子を床台一段分のみ示す正面図であり、図中第２実施例と同様の部分はそれと同一の符号にて示す。
【００３６】
この変形例では、先の変形例と同様に各椅子３に肘掛け12を配置し、その肘掛け12の前端部を支柱14の上端部に連結軸13により回動可能に連結するとともに、その肘掛け12の後端部を、平行リンク機構４の後ろ側リンク部材８に一体的に結合された背部3bに連結軸15により回動可能に連結し、さらに上記支柱14の下端部を座部3aに、支持軸９により回動可能に連結しており、その支柱14と背部3bとによってここでは、平行リンク機構４に背部3bを介して連結した他の平行リンク機構16を構成し、その平行リンク機構16により肘掛け12を、図９に示すとともに図８に実線で示す、床台２から離間する使用位置と、図８に一点鎖線で示す、床台２に近接する下降位置との間で前後移動させつつ実質的に平行移動させるようにしている。
【００３７】
かかるこの変形例の伸縮式階段状観覧席によれば、肘掛け12を移動させる平行リンク機構16が平行リンク機構４に連動するので先の第２実施例の作用効果と同様の作用効果が得られ、それに加えて、肘掛け12によって椅子３の快適性をさらに向上させることができる。なお、支柱14を設ける代わりに平行リンク機構４の前側リンク部材10を上方に延長してその上端部に肘掛け12の前端部を連結するようにしても良い。
【００３８】
以上、図示例に基づき説明したが、この発明は上述の例に限定されるものでなく、例えば所要に応じて、各椅子の座部の上記使用位置と下降位置との間での移動をワイヤーやカム等を用いて床台の移動と連動させることで、床台駆動ユニットを、椅子の座部を移動させる前記駆動手段として兼用しても良く、また椅子の座部を移動させる前記駆動手段を、スプリング等を用いて座部を前記下降位置から前記使用位置へ、または前記使用位置から前記下降位置へ一方向のみ回動させるものとし、逆方向への回動は人手で行うようにしても良く、あるいは椅子の座部の移動専用の、例えばモーターと減速機あるいはそれに加えてブレーキを具える駆動ユニットを前記駆動手段として、それを各椅子に設けたり、複数個の椅子の座部を連動させるように設けたりしても良く、その場合にはその駆動ユニットを、座部の使用位置への固定とその使用位置からの解放とを選択的に行う前記固定手段としても機能させることができる。
【００３９】
さらにこの発明においては、前記座部を複数個ずつ一体的に結合して構成し、前記平行リンク機構を、前記一体的に結合された複数個ずつの座部を纏めて前記使用位置と前記下降位置との間で移動させるものとして構成しても良く、また、前記背部も複数個ずつ一体的に結合して構成し、前記背部に結合されたリンク部材を、前記一体的に結合された複数個ずつの背部を纏めて前記使用位置と前記倒れ位置との間で回動させるものとして構成しても良い。そしてこの発明においては、床台の段数や椅子の個数を所要に応じて適宜に変更し得ることももちろんである。
【図面の簡単な説明】
【図１】（ａ）は、この発明の伸縮式階段状観覧席の第１実施例を伸長展開した状態で示す断面図、（ｂ）は、その第１実施例の伸縮式階段状観覧席を縮小収容した状態で示す断面図、そして（ｃ）は、その第１実施例の伸縮式階段状観覧席の各椅子の作動状態を示す断面図である。
【図２】上記第１実施例の伸縮式階段状観覧席の床台および椅子を床台一段分のみ示す正面図である。
【図３】上記第１の実施例の伸縮式階段状観覧席の、各床台が進出位置に位置する一方で各椅子の座部が下降位置に位置するとともに背部が倒れ位置に位置する中間的状態を示す断面図である。
【図４】（ａ）は、この発明の伸縮式階段状観覧席の第２実施例を伸長展開した状態で床台二段分のみ示す断面図、（ｂ）は、その第２実施例の伸縮式階段状観覧席を縮小収容した状態で示す断面図、そして（ｃ）は、その第２実施例の伸縮式階段状観覧席の各椅子の作動状態を示す断面図である。
【図５】上記第２実施例の伸縮式階段状観覧席の床台および椅子を床台一段分のみ示す正面図である。
【図６】上記第１実施例の変形例を伸長展開した状態で床台二段分のみ示す断面図である。
【図７】上記変形例の床台および椅子を床台一段分のみ示す正面図である。
【図８】上記第２実施例の変形例を伸長展開した状態で床台二段分のみ示す断面図である。
【図９】上記変形例の床台および椅子を床台一段分のみ示す正面図である。
【符号の説明】
１  床面
２  床台
2a  前部
３  椅子
3a  座部
3b  背部
3c  凹部
４  平行リンク機構
５  ブラケット
６  支持軸
７  前側リンク部材
８  後ろ側リンク部材
９  支持軸
10  前側リンク部材
11  後ろ側リンク部材
12  肘掛け
13  連結軸
14  支柱
15  連結軸
16  平行リンク機構
【図１】
0003776565.tif 000002
【図２】
0003776565.tif 000003
【図３】
0003776565.tif 000004
【図４】
0003776565.tif 000005
【図５】
0003776565.tif 000006
【図６】
0003776565.tif 000007
【図７】
0003776565.tif 000008
【図８】
0003776565.tif 000009
【図９】
0003776565.tif 000010